(57)【特許請求の範囲】
【請求項１】
内部で調理が行われるキャビティと、
前記キャビティの上部の一方側に形成され、電装部品が装着される電装室と、
前記電装部品の冷却のための空気流とフード機能による汚れた空気流とを形成するベントモータ組立体と、
前記ベントモータ組立体に別々に分離して吸入され排出される冷却のための空気と汚れた空気を別々に分離して流動させ、前記汚れた空気が通過する部分に排気フィルタが装着されるエアダクトとを含み、
前記ベントモータ組立体は、ベントモータの両端にそれぞれファンを備え、前記エアダクトに仕切りを挿入することにより前記それぞれのファンと別途に連通する第１及び第２のダクト部が形成されることを特徴とするフード兼用電子レンジ。
【請求項２】
前記排気フィルタは、前記エアダクトの前方において、着脱自在に、且つ前記汚れた空気が通過するダクト部に傾斜して設けられることを特徴とする請求項１に記載のフード兼用電子レンジ。
【請求項３】
前記排気フィルタを装着するために、前記エアダクトには、前記排気フィルタの後面を傾斜して保持するように、その上端が傾斜して形成される保持突起が備えられ、前記エアダクトの先端の両側には、前記排気フィルタの上面の一方側を押圧保持する上端突起が備えられ、前記エアダクトの先端には、前記排気フィルタの先端が係止される係止突起が形成されることを特徴とする請求項２に記載のフード兼用電子レンジ。
【請求項４】
前記電装部品が設けられる電装室は、前記ベントモータのファンの設置高さと隣接した高さに形成されることを特徴とする請求項１に記載のフード兼用電子レンジ。
【請求項５】
前記ベントモータのファンは、電装室の内部の空気を吸入して、前記電装室内に空気流を形成することを特徴とする請求項４に記載のフード兼用電子レンジ。
【発明の詳細な説明】
【０００１】
【発明の属する技術分野】
本発明は、電子レンジに関し、排気流路と冷却流路をそれぞれ独立に形成し、排気流路にのみ排気フィルタを装着することによって、作動効率を増大させ、騒音を低減させたフード兼用電子レンジの構造に関する。
【０００２】
【従来の技術】
先ず、従来技術によるフード兼用電子レンジの構成を図１及び図２を参照して、詳しく説明する。図１は、従来のフード兼用電子レンジから外部ケースを除去し、エアダクトを取り外した斜視図である。
【０００３】
図示のように、内部で調理が行われるキャビティ２が電子レンジの一方側に設けられている。該キャビティ２の一方側には電装室４が形成されており、該電装室４の内部には電装部品４'が多数装着されている。そして、前記電装室４の上部には、送風ファン８が装着されており、前記電装室４に向かって冷却空気流ｆdを形成させる。
【０００４】
また、前記電装室４の後壁の後方には、排気流入口６が形成されている。該排気流入口６は、電子レンジの下部に設けられたガスオーブンレンジ（図示せず）から排出される熱気と煙を、前記電子レンジ内に流入させる通路の役割をする。
【０００５】
一方、前記キャビティ２の上面には、多数の通孔からなり、前記キャビティ２内に空気を流入させる空気流入部２ａと、空気を流出させる空気流出部２ｂとが形成されている。そして、前記空気流入部２ａに隣接して、空気を前記空気流入部２ａに誘導するガイド壁２'が、前記キャビティ２の上面に形成されている。
【０００６】
そして、前記キャビティ２の上部には、エアダクト２２が装着される。該エアダクト２２は、下部に設けられたガスオーブンレンジ（図示せず）から発生して吸入された熱気と煙の排気空気流ｆeを、前記キャビティ２の前面に案内する構造物である。前記エアダクト２２の先端には係止突起２２ｃが形成されている。そして、前記エアダクト２２の左右側壁２２ａ,２２ｂの向かい合う位置には、前記左右側壁２２ａ,２２ｂから突出した保持突起２２ａ',２２ｂ'が一対形成されており、該保持突起２２ａ',２２ｂ'の上端には、前記エアダクト２２の後方に向かって上向きに傾斜した斜面が形成されている。
【０００７】
そして、前記エアダクト２２の左側壁２２ｂの外側には、空気導入部２２ｄが形成されている。該空気導入部２２ｄは、中心部に通孔が形成され、該通孔を介して空気を下方に案内することができるように、四面が側壁で取り囲まれている形状となっている。そして、前記空気導入部２２ｄに流入した空気ｆc1は、前記ガイド壁２'に案内され、空気流入部２ａに向かうｆc2ことになる。
【０００８】
また、前記エアダクト２２の後方には、両端部に出力軸（図示せず）が備えられたベントモータ３２ｃが装着されている。該ベントモータ３２ｃの左右側にはそれぞれシロッコファンが装着されている。該シロッコファンは、前記ベントモータ３２ｃの出力軸（図示せず）の方向に空気を吸入し、前記出力軸（図示せず）の垂直方向に空気を排出させる。以下、左側シロッコファンを左側ファン３２ｂと称し、右側シロッコファンを右側ファン３２ａと称する。
【０００９】
そして、前記シロッコファンの一方側には、排気口３２ａ',３２ｂ'が形成されている。該排気口３２ａ',３２ｂ'の方向は、下記で説明するエアダクト２２に向かっている。
【００１０】
また、前記エアダクト２２の前面には、排気フィルタ２２'が装着される。即ち、前記エアダクト２２の先端の係止突起２２ｃに下部の隅が保持され、前記保持突起２２ａ',２２ｂ'の上端の斜面に背面が保持されながら、前記排気フィルタ２２'が、前記エアダクト２２に形成される空気流路の前面をカバーするように前面に装着されるものである。前記排気フィルタ２２'の内部には、吸着性物質が密に充填されている。該吸着性物質により、前記エアダクト２２を通じて排出される排気の有害成分がろ過され、前記排気フィルタ２２'の前面には清淨な空気が排出される。
【００１１】
一方、図２には、前記エアダクト２２が、前記キャビティの上部に装着された状態が図示されている。これによると、前記キャビティ２の上面に形成された空気流入部２ａと空気流出部２ｂは、前記エアダクト２２の下部に位置して隠される。そして、前記エアダクト２２の先端には、前記排気フィルタ２２'が、前記エアダクト２２の後方に斜めに傾斜して装着される。
【００１２】
このように構成される従来技術において、電子レンジの内部に形成される空気流を図２を参照して以下に説明する。
【００１３】
ベントモータ３２ｃが作動すると、電子レンジの下部に設けられたガスオーブンレンジ（図示せず）から発生した汚れた空気が、前記ベントモータ３２ｃの左右側ファン３２ａ,３２ｂを通じて電子レンジの内部に吸入されて、矢印ｆeで示すように流動する。即ち、排気流入口６を通じて電子レンジの電装室４の裏面に流入した汚れた空気の一部は、前記右側ファン３２ａ側に流入し、他の一部は左側ファン３２ｂに流入する。
【００１４】
一方、キャビティ２内の空気流をみると、前記キャビティ２の左側上部の前面に設けられるベントグリル（図示せず）を通じて電子レンジの内部に流入した空気は、矢印ｆc1で示すように、前記空気導入部２２ｄを通じて前記空気流入部２ａに向かうことになる。そして、前記空気流入部２ａからキャビティ２内に流入した空気は、キャビティ２内部の水分を蒸発させる役割をし、水蒸気が含まれた空気は、前記空気流出部２ｂを通じてキャビティ２の上部に排出される。前記空気流出部２ｂから流出した空気は、前記ベントモータ３２ｃの右側ファン３２ａに流入する。
【００１５】
結局、前記ベントモータ３２ｃの左側ファン３２ｂからは、前記ガスオーブンレン（図示せず）から排出される汚れた空気が流入し、右側ファン３２ａからは、前記汚れた空気ばかりでなく、キャビティ内の水蒸気を含む空気も共に流入する。
【００１６】
このように、ベントモータ３２ｃに吸入された空気は、それぞれの排気口３２ａ',３２ｂ'を通じてエアダクト２２に吐出され、前記エアダクト２２の先端に設けられた排気フィルタ２２'を通過して電子レンジの前方に排気される。そして、前記電装室４の内部の電装部品４'等は、別途の送風ファン８が、外部の空気を吸入し気流を形成して冷却させる。
【００１７】
【発明が解決しようとする課題】
しかし、従来技術による電子レンジの構造によると、次のような問題があった。先ず、汚れた空気は、前記ガスオーブンレンジの作動時にのみ前記ベントモータ３２ｃの左右側ファン３２ｂ,３２ａを通じて流入する。即ち、電子レンジだけ作動する場合は、汚れた空気が前記ベントモータ３２ｃの左右側ファン３２ｂ,３２ａから流入することはない。しかし、この場合も、前記右側ファン３２ａからエアダクト２２の前面に排出される汚れなかった空気も、前記排気フィルタ２２'を必ず通過しなければならない。
【００１８】
従って、このときは、前記排気フィルタ２２'が、フィルタの機能を行わず、かえって右側ファン３２ａを経て出た空気の流れを妨害するばかりでなく、前記排気フィルタ２２'内の密な充填材を通過しながら、騒音が生じるようになる問題があった。
【００１９】
そして、前記右側ファン３２ａから排出される空気が、前記排気フィルタ２２'により、排出速度が遅延することによって、前記キャビティ２内の空気の循環が円滑に行われず、キャビティ２の内部の水蒸気の排出が円滑に行かなくなる。
【００２０】
また、前記排気フィルタ２２'は、その上方向への移動を規制するための構成がないので、外部の衝撃が加えられたり、又は移動中に前記エアダクト２２から脱却されたりする場合が多い。そのため、汚れた空気が浄化されずに、そのまま排出される問題があった。
【００２１】
従って、本発明の目的は、前記のような従来技術の問題を解決すめためのものであって、フード兼用電子レンジの内部の空気流をより円滑にするものである。
【００２２】
本発明の他の目的は、フード兼用電子レンジの内部の空気流動による騒音を最小化することである。
【００２３】
本発明の更に他の目的は、キャビティ内の空気流が円滑に行われるようにすることである。
【００２４】
本発明の更に他の目的は、相対的に少ない部品点数で電子レンジの内部の空気流を形成することである。
【００２５】
本発明の更に他の目的は、排気フィルタの設置をより堅固にして、空気の浄化を確実にすることである。
【００２６】
【課題を解決するための手段】
前記目的を達成するために、本発明は、内部で調理が行われるキャビティと、該キャビティの上部の一方側に形成され、電装部品が装着される電装室と、前記電装部品の冷却のための空気流とフード機能による汚れた空気流とを形成するベントモータ組立体と、該ベントモータ組立体に吸入されて排出される、冷却のための空気と汚れた空気を別々に分離して流動させ、前記汚れた空気が通過する部分に排気フィルタが装着されるエアダクトとを含んで構成される。
【００２７】
前記ベントモータ組立体は、ベントモータの両端にそれぞれファンを備え、前記エアダクトには、前記それぞれのファンと別途に連通する第１及び第２のダクト部が形成される。
【００２８】
前記排気フィルタは、前記エアダクトの前方において、着脱自在に前記汚れた空気が通過するダクト部に傾斜して設けられる。
【００２９】
前記排気フィルタを装着するために、前記エアダクトには、前記排気フィルタの後面を傾斜して保持するように、その上端が傾斜して形成される保持突起が備えられ、前記エアダクトの先端の両側には、前記排気フィルタの上面の一方側を押圧保持する上端突起が備えられ、前記エアダクトの先端には、前記排気フィルタの先端が係止される係止突起が形成される。
【００３０】
前記電装部品が設けられる電装室は、前記ベントモータのファンの設置高さと隣接した高さに形成される。
【００３１】
前記ベントモータのファンは、電装室の内部の空気を吸入して、前記電装室内に空気流を形成する。
【００３２】
このような本発明の構成によると、フード機能のための空気流と冷却のための空気流が別々に分離して流動され得るので、効率的な空気流が形成され、電装室をキャビティの上部に形成することによって、キャビティの貯蔵空間が横に拡大する効果を期待することができ、電装部品の冷却のための空気流とフード機能のための空気流とを１つのベントモータで行うことができるので、前記ベントモータの効率的な利用を図ることができる。
【００３３】
【発明の実施の形態】
以下、本発明によるフード兼用電子レンジの実施形態を図面を参照して詳しく説明する。
【００３４】
図３及び図４に示すように、内部に調理空間が形成されたキャビティ１０２が、電子レンジの一方側に形成されている。該キャビティ１０２の上部面には、多数の通孔からなり、前記調理空間内に空気を流入させる空気流入部１０２ａと、該流入された空気を流出させる空気流出部１０２ｂが形成されている。
【００３５】
また、前記キャビティ１０２の上部面には、下記で説明する空気導入部１２２ｄ内に流入された空気を、前記空気流入部１０２ａに誘導し、前記空気流入部１０２ａと前記空気流出部１０２ｂを仕切るガイド壁１０２'が形成されている。該ガイド壁１０２'の上面には、下記で説明するエアダクト１２２の下面が密着する。
【００３６】
前記キャビティ１０２の上部の一方側には、電装部品１０４'が装着される電装室１０４が形成されている。そして、該電装室１０４の下部、即ち、前記キャビティ１０２の右側には空間が形成され、該空間の後方には、電子レンジの下部に設けられたガスオーブンレンジから発生した汚れた空気を、電子レンジの内部に流入させる排気流入口１０６が形成されている。そして、前記キャビティ１０２の後方には、前記排気流入口１０６から流入した汚れた空気を、前記キャビティ１０２の右側上部に移動させる空間が形成されている。
【００３７】
一方、前記キャビティ１０２の上部には、電子レンジの内部の空気を外部に排出させるエアダクト１２２が装着される。該エアダクト１２２は、その両端の左右を左右側壁１２２ｂ,１２２ａが形成され、該左右側壁１２２ｂ,１２２ａの間には、別途の仕切り２００が形成され、前記エアダクト１２２内に、第１、２のダクト部２０２,２０４を形成する。このような第１、２のダクト部２０２,２０４の上部は、電子レンジの外部ケース（図示せず）が装着されることによって遮蔽される。
【００３８】
また、前記第１、２のダクト部２０２,２０４のうち、第１のダクト部２０２の両側壁、即ち、前記エアダクト１２２の左側壁１２２ｂと前記仕切り２００には、それぞれ保持突起１２２ｂ',１２２ｂ"が形成されている。前記保持突起１２２ｂ',１２２ｂ"は、前記左側壁１２２ｂと前記仕切り２００にそれぞれ一体的に突設され、その上面には、前記第１のダクト部２０２の後方に向って上がる傾斜が形成されている。このような傾斜に、下記で説明する排気フィルタ１２２'の下面が傾斜して保持される。
【００３９】
前記左側壁１２２ｂと仕切り２００には、また上端突起２０３ｂ,２０３ａが形成される。該上端突起２０３ｂ,２０３ａは、排気フィルタ１２２'の上面が一定以上の高さに移動しないようにする。このような上端突起２０３ｂ,２０３ａは、前記保持突起１２２ｂ',１２２ｂ"から一定の距離だけ離れた位置に形成される。
【００４０】
一方、前記排気フィルタ１２２'の先端が係止されるように、前記エアダクト１２２の先端には係止突起１２２ｃが上方に突設される。
【００４１】
前記のような構成によって、排気フィルタ１２２'が前記第１のダクト部２０２に設けられるが、前記保持突起１２２ｂ',１２２ｂ"の傾斜面に後面が保持され、前記係止突起１２２ｃに先端が係止されて設けられる。そして、前記上端突起２０３ｂ,２０３ａは、前記排気フィルタ１２２'が上部に一定の高さ以上移動することを遮断する。前記排気フィルタ１２２'は、内部に有害物質吸着剤で密に充填されており、前記第１のダクト部２０２を通過する汚れた空気の有害物質を除去する機能をする。
【００４２】
一方、前記エアダクト１２２の左側壁１２２ｂの外側には、エア導入部１２２ｄが形成されている。前記エア導入部１２２ｄは、前記キャビティ１０２の上部の前面に設置されたベントグリル（図示せず）から流入した空気を、前記キャビティ１０２の空気流入部１０２ａに案内する。
【００４３】
次いで、前記エアダクト１２２の後方には、ベントモータ組立体１３２が装着される。該前記ベントモータ組立体１３２は、両端部に出力軸（図示せず）を備えたベントモータ１３２ｃと、該ベントモータ１３２ｃの出力軸に連結されたシロッコファンで構成される。以下、左側に装着されたシロッコファンを左側ファン１３２ｂ、右側に装着されたシロッコファンを右側ファン１３２ａと称する。前記左右側ファン１３２ｂ,１３２ａは、前記ベントモータ１３２ｃの作動により、前記ベントモータ１３２ｃの出力軸（図示せず）方向に空気を吸入し、排気口１３２ａ',１３２ｂ'を通じて前記出力軸（図示せず）の垂直方向に空気を排出する。
【００４４】
そして、前記排気口１３２ａ',１３２ｂ'は、前記エアダクト１２の全面に向かって形成されているので、前記左右側ファン１３２ｂ,１３２ａにより形成される空気流は、前記エアダクト１２の前面に向かうことになる。また、前記左右側ファン１３２ｂ,１３２ａは、それぞれ第１、２のダクト部２０２,２０４を介して独立して前記流入した空気を排出する。
【００４５】
即ち、前記左側ファン１３２ｂは、前記第１のダクト部２０２の後方に設けられ、前記右側ファン１３２ａは、前記第２のダクト部２０４の後方にそれぞれ設けられることにより、前記左右側ファン１３２ｂ,１３２ａを通じて流入された空気流は、前記第１、２のダクト部２０２,２０４を介してそれぞれ独立して排出される。
【００４６】
以下、本発明によるフード兼用電子レンジの作用について図４を参照して、詳しく説明する。
【００４７】
前記ベントモータ１３２ｃが作動すると、電子レンジの下部に設けられるガスオーブンレンジから排出される汚れた空気が、排気流入口１０６から流入して、矢印ｆeで示すように流動する。即ち、前記キャビティ１０２の後側に形成された空間を介して、前記キャビティ１０２の左側上部に向かうことになる。前記キャビティ１０２の左側上部に移動した空気は、前記ベントモータ組立体１３２の左側ファン１３２ｂに流入する。
【００４８】
そして、第１のダクト部２０２を介して前記エアダクト１２２の前面に排出される。そのとき、前記第１のダクト部２０２の前面に設けられた排気フィルタ１２２'により有害物質がろ過された後、電子レンジの前方から外部に排出される。
【００４９】
一方、前記ベントモータ組立体１３２の右側ファン１３２ａからは、前記電装部品１０４'を冷却させる空気流が形成される。即ち、前記右側ファン１３２ａの駆動により、前記電装室１０４の内部は負圧が掛かり、従って、外部の空気が前記電装室１０４の前方を通じて電装室１０４に流入する。
【００５０】
そして、前記右側ファン１３２ａから流入した空気は、第２のダクト部２０４を通じて前記エアダクト１２２の前面に排出される。そのとき、前記第２のダクト部２０４には排気フィルタ１２２'が装着されていないので、前記空気はそのまま外部に排出される。このような空気流が図４に矢印ｆaで示されている。
【００５１】
また、前記キャビティ１０２の内部を流動し、空気流出部１０２ｂから排出された空気ｆc3は、前記電装室１０４側に流動して、前記右側ファン１３２ａに伝達される。そして、前記電装室１０４を冷却した空気と共に、前記第２のダクト２０４の前面に排出される。
【００５２】
一方、前記排気フィルタ１２２'は、前記第１のダクト部２０２の前方において着脱自在である。即ち、前記排気フィルタ１２２'は、前記係止突起１２２ｃと上端突起２０３ｂ,２０３ａとの間の空間を介して内部に充分に挿入された状態で、その背面が前記保持突起１２２ｂ',１２２ｂ"に保持されながら、その先端が前記係止突起１２２ｃに係止されるものである。そして、排気フィルタ１２２'を取り外すことが逆に行われる。
【００５３】
【発明の効果】
以上説明のように、本発明によるフード兼用電子レンジによると、次のような効果が得られる。先ず、フード兼用電子レンジに形成されるフード機能のための空気流と冷却のための空気流が別個に分離され、汚れた空気流に対してのみフィルタを設けるので、フィルタの使用効率が高くなる。そして、フィルタが設けられていない流路を通る空気流がより円滑に行われると共に、フィルタを通過しなかった空気の量が相対的に多くなり、騒音の発生が減ることになる。また、フード機能のための空気流と電装室の冷却のための空気流とを、ベントモータ組立体のみを用いて形成するので、ベントモータ組立体をより効率的に用いることができる。また、電装室をキャビティの上部に形成するので、キャビティの横方向の空間を拡大し、又は別途の機能性部品を設けて調理性能を高めることができる。また、前記排気フィルタの装着において、排気フィルタの上方向への移動を規制する上方突起を形成して、排気フィルタがダクトから任意に脱却しないので、排気フィルタをエアダクトに組み立てた状態で運搬することができる。そして、前記キャビティの空気流出部を通じて排出される空気が、排気フィルタが装着されなかった第２のダクト部を介して流動されるので、前記キャビティ内の空気の流れがより円滑に行われてキャビティ内の結露を効果的に防止することができる。
【図面の簡単な説明】
【図１】従来技術によるフード兼用電子レンジからエアダクトを取り外した状態を示す要部斜視図である。
【図２】従来技術による電子レンジの内部の空気流を示す空気流の状態図である。
【図３】本発明によるフード兼用電子レンジの好ましい実施形態を示す分解斜視図である。
【図４】本発明の実施形態に係る電子レンジの内部の空気流を示す空気流の状態図である。
【符号の説明】
１０２…キャビティ
１０４…電装室
１０６…排気流入口
１２２…エアダクト
１２２ａ,１２２ｂ…右側壁及び左側壁
１２２ｂ',１２２ｂ"…保持突起
１２２ｃ…係止突起
１３２…ベントモータ組立体
１３２ａ,１３２ｂ…右側ファン及び左側ファン
１３２ａ',１３２ｂ'…排気口
２００…仕切り
２０２,２０４…第１及び２のダクト
２０３ａ,２０３ｂ…上方突起
【図１】
0003816765.tif 000002
【図２】
0003816765.tif 000003
【図３】
0003816765.tif 000004
【図４】
0003816765.tif 000005